(57)【要約】【課題】地下貯水槽と比較して極めて容易に設置することができるとともに、貯水ユニットの連結数を変更することで所望の貯水量に柔軟に対応することができ、さらに、貯水量の増大を図った場合でも大きな敷地面積を占有せず、建物の壁面緑化が可能な貯水塔を提供する。【解決手段】大量の雨水を貯水する大型の貯水塔１であって、透水性を有する複数段の棚板１３を支柱１２Ａ，１２Ｂに組み付けた載置フレーム（１１）と、載置フレーム（１１）の棚板１３上に載置された複数の樹脂製の貯水ドラム２１とを含む貯水ユニット１０を備え、複数の貯水ユニット１０を縦方向に連結して塔を形成するとともに、載置フレーム（１１）を基礎Ｂ及び建物壁面Ｗに固定し、上下段の棚板１３に載置された貯水ドラム２１どうしを互いに連通させ、少なくとも最上段の棚板１３に載置された貯水ドラム２１を雨水集水手段に接続した構成としてある。【選択図】図２
2008303562.tif 000002
【特許請求の範囲】
【請求項１】
大量の雨水を貯水する大型の貯水塔であって、
透水性を有する複数段の棚板を支柱に組み付けた載置フレームと、前記載置フレームの棚板上に載置された複数の樹脂製の貯水ドラムとを含む貯水ユニットを備え、
複数の前記貯水ユニットを縦方向に連結して塔を形成するとともに、前記載置フレームを基礎及び建物壁面に固定し、
上下段の前記棚板に載置された前記貯水ドラムどうしを互いに連通させ、少なくとも最上段の前記棚板に載置された前記貯水ドラムを雨水集水手段に接続したことを特徴とする貯水塔。
【請求項２】
前記載置フレームが、エキスパンドメタルからなる前記棚板と、この棚板の縁部近傍及び略中心部を支持する前記支柱とを備え、
前記棚板上における、略中心部を支持する前記支柱の周りに複数の前記貯水ドラムを載置したことを特徴とする請求項１記載の貯水塔。
【請求項３】
前記載置フレームが、前記棚板の縁部近傍を支持する前記支柱のうち、隣り合う前記支柱どうしの中間部を連結する横桟を有し、
前記支柱における、前記横桟の連結部を上下に互い違いに設けたことを特徴とする請求項１又は２記載の貯水塔。
【請求項４】
複数の前記貯水塔を、前記建物壁面に沿って横方向に並設したことを特徴とする請求項１〜３いずれか記載の貯水塔。
【請求項５】
前記載置フレームの下端側又は上端側に設置され、蔓植物の根を植えるためのプランター部と、前記載置フレームを覆う育成ネットとを備え、
前記プランター部から伸長した前記蔓植物を前記育成ネットに定着させて、前記建物壁面を緑化することを特徴とする請求項１〜４いずれか記載の貯水塔。
【発明の詳細な説明】
【技術分野】
【０００１】
本発明は、大量の雨水を貯水する大型の貯水塔に関し、特に、地下貯水槽と比較して極めて容易に設置することができるとともに、貯水ユニットの連結数を変更することで所望の貯水量に柔軟に対応することができ、さらに、貯水量の増大を図った場合でも大きな敷地面積を占有せず、建物の壁面緑化が可能な貯水塔に関する。
【背景技術】
【０００２】
従来から大量の雨水を貯水して防災用水、緑化灌水及び道路散水等として有効利用するために、種々の貯水槽が提案されている。例えば、特開２００７−２３６１０号公報（特許文献１）では、複数の貯水槽を分散して地下の同一レベルに埋設するとともに、これら貯水槽を水封された連結管を介して互いに連結し、この連結管を介したサイホン作用により、各貯水槽の間で雨水をやり取りする貯水槽が開示されている。
【０００３】
また、特開２００６−２９９５４２号公報（特許文献２）では、複数の貯水槽をピラミッド状に多段に積上げることにより、雨水の捕集効率及び貯水量を増大させた貯水槽が開示されている。
【０００４】
さらに、特開平１０−１４０６２８号公報（特許文献３）では、円筒状の地下貯水槽内を間仕切して、雨水流入貯水槽と、防災貯水槽と、雨水流入抑制槽とに区画し、一端側の雨水流入貯水槽に土砂水混合液体流入パイプを配設するとともに、他端側の雨水流入抑制槽に汚水汚物ポンプを配設した貯水槽が提案されている。
【特許文献１】特開２００７−２３６１０号公報（図３参照）
【特許文献２】特開２００６−２９９５４２号公報（図１参照）
【特許文献３】特開平１０−１４０６２８号公報（図１及び図２参照）
【特許文献４】特開２００６−２０７２２７号公報（図１及び図２参照）
【発明の開示】
【発明が解決しようとする課題】
【０００５】
ところが、上述した特許文献１及び３の貯水槽は、いずれも大量の雨水を貯水することが可能であるが、地下貯水槽であるために、大型の貯水槽を地下に埋設するための大がかりな工事を必要とし、貯水槽の設置に多大な時間、労力及び費用を要するという問題があった。
【０００６】
また、特許文献２の貯水槽は、複数の貯水槽をピラミッド状に多段に積上げる構成となっていたために、雨水の貯水量を増大させようとして貯水槽の数を増やすと、大きな敷地面積が占有されてしまい、限られた敷地の有効利用が妨げられてしまうという問題があった。
【０００７】
ここで、特開２００６−２０７２２７号公報（特許文献４）では、直立器体の内部にポリタンク等を利用した複数の貯水タンクを上下多段状に配設し、雨水を導入する導水管に各貯水タンクを接続するとともに、各貯水タンクを貯水管で互いに連通させた雨水利用装置が開示されている。
【０００８】
しかし、特許文献４の雨水利用装置は、一般家庭用の小型装置であるが故に、上述したような設置の困難性、大きな敷地面積の占有といった問題は生じないが、数〜数十トンといった大量の雨水を貯水して有効利用することができないという問題があった。
【０００９】
また、特許文献４の雨水利用装置では、使用者のニーズに応じて貯水量を増大するのに限界があり、数〜数十トン程度の範囲内における所望の貯水量に柔軟に対応することができないという問題もあった。
【００１０】
さらに、上述した特許文献１〜４の貯水槽又は雨水利用装置では、貯水した雨水を緑化灌水に利用することまでは考慮しているが、学校、病院、工場、倉庫、駐車場などの施設自体を緑化することまでは全く考慮されておらず、いずれも施設の緑化に無関係な構成となっていた。
【００１１】
本発明は、上記問題点に鑑みてなされたものであり、地下貯水槽と比較して極めて容易に設置することができるとともに、貯水ユニットの連結数を変更することで所望の貯水量に柔軟に対応することができ、さらに、貯水量の増大を図った場合でも大きな敷地面積を占有せず、建物の壁面緑化が可能な貯水塔の提供を目的とする。
【課題を解決するための手段】
【００１２】
上記目的を達成するために、本発明の貯水塔は、大量の雨水を貯水する大型の貯水塔であって、透水性を有する複数段の棚板を支柱に組み付けた載置フレームと、前記載置フレームの棚板上に載置された複数の樹脂製の貯水ドラムとを含む貯水ユニットを備え、複数の前記貯水ユニットを縦方向に連結して塔を形成するとともに、前記載置フレームを基礎及び建物壁面に固定し、上下段の前記棚板に載置された前記貯水ドラムどうしを互いに連通させ、少なくとも最上段の前記棚板に載置された前記貯水ドラムを雨水集水手段に接続した構成としてある。
【００１３】
このような構成によれば、複数段の棚板上に載置された複数の貯水ドラムによって大量の雨水を貯水することができる。これにより、学校、病院、工場、倉庫、駐車場などの施設において、大量の雨水を有効利用することが可能となり、従来の地下貯水槽に代わる水不足対策の手段としての役割を果たすこともできる。
【００１４】
また、載置フレームの棚板の段数、棚板上に載置される貯水ドラムの数、これら載置フレームと貯水ドラムとからなる貯水ユニットの連結数を変更することで、数〜数十トン程度の範囲内における所望の貯水量に柔軟に対応することができる。
【００１５】
さらに、本貯水塔は、その載置フレームを基礎及び建物壁面にアンカーボルト等で固定するだけで極めて容易に設置することができ、従来の地下貯水槽と比較した場合に、設置に要する時間、労力及び費用を大幅に削減することが可能となる。
【００１６】
これに加え、本貯水塔は、建物壁面に沿って縦方向（及び横方向も可）に貯水ユニットを連結させる構成となっているので、貯水量の増大を図った場合でも大きな敷地面積を占有することがなく、敷地の有効利用を図ることができる。
【００１７】
ここで、「棚板」としては、耐食性と透水性とを有し、数百リットル〜数十トン程度の重量物を載置可能な板状体が広く含まれ、例えば、耐食性に優れたステンレス鋼製のエキスパンドメタルやパンチングメタル等を用いることができる。「支柱」としては、耐食性を有するとともに、数１００リットル〜数トン程度の重量物を支持可能な耐久性を有する、例えば、断面略ロ字形、Ｌ字型、Ｈ字型等の各種柱状体が含まれる。
【００１８】
「貯水ドラム」としては、耐食性に優れ、軽量で安価なポリエチレン、ポリプロピレン、又はポリエステル等のプラスチック素材からなる合成樹脂製の容器を用いることができる。「雨水集水手段」としては、雨水を集水して樹脂ドラムに供給することが可能なものであれば、構造は特に限定されず、例えば、建物に設置された既存の雨樋をそのまま利用してもよい。
【００１９】
好ましくは、上述した本発明の貯水塔において、前記載置フレームが、エキスパンドメタルからなる前記棚板と、この棚板の縁部近傍及び略中心部を支持する前記支柱とを備え、前記棚板上における、略中心部を支持する前記支柱の周りに複数の前記貯水ドラムを載置した構成としてもよい。
【００２０】
このような構成によれば、例えば、ステンレス鋼製のエキスパンドメタルは、重量物に対する耐久性及び錆びに対する耐食性が良好であり、また、エキスパンドメタルの網目が雨水を効率よく透過させるとともに、この網目をそのまま利用して、支柱等の構造体との連結、及び貯水ドラムの配管取り回しを容易に行うことができる。
【００２１】
また、エキスパンドメタルからなる棚板の縁部近傍のみならず、略中心部も支柱で支持する構成としたことにより、載置フレームの耐久性を向上させることができ、略中心部を支持する支柱の周りに複数の貯水ドラムを載置することによって、貯水塔全体の安定性を良好にすることができる。
【００２２】
ここで、「棚板の縁部近傍」とは、例えば、棚板が多角形状の場合は、その頂部及び／又は辺部近傍を支柱で支持することが考えられ、また、棚板が円形又は楕円形状の場合は、その円周に沿って等間隔ないし対称的に支柱を配置して支持することが考えられる。
【００２３】
好ましくは、上述した本発明の貯水塔において、前記載置フレームが、前記棚板の縁部近傍を支持する前記支柱のうち、隣り合う前記支柱どうしの中間部を連結する横桟を有し、前記支柱における、前記横桟の連結部を上下に互い違いに設けた構成としてもよい。
【００２４】
このような構成によれば、棚板の縁部近傍を支持する支柱の中間部に連結した横桟が、載置フレームを補強するとともに、貯水ドラムの脱落を防止するストッパの役割をも果たす。また、支柱における横桟の連結部を上下に互い違いに設けたことにより、支柱の異なる高さに複数の取付孔が分散し、支柱の局所的な強度低下を回避することが可能となる。
【００２５】
好ましくは、上述した本発明の貯水塔において、複数の前記貯水塔を、前記建物壁面に沿って横方向に並設した構成としてもよい。
【００２６】
このような構成によれば、建物壁面に沿って複数の貯水塔を並設しているので、貯水量の増大を図った場合でも大きな敷地面積を占有することがなく、敷地の有効利用を図ることができる。特に、後述する育成ネットで各貯水槽の載置フレームを覆って蔓植物を育成すれば、建物の壁面全体を緑化することができると同時に、雨水を緑化灌水として有効利用することが可能となる。
【００２７】
好ましくは、上述した本発明の貯水塔において、前記載置フレームの下端側又は上端側に設置され、蔓植物の根を植えるためのプランター部と、前記載置フレームを覆う育成ネットとを備え、前記プランター部から伸長した前記蔓植物を前記育成ネットに定着させて、前記建物壁面を緑化する構成としてもよい。
【００２８】
このような構成によれば、大量の雨水を有効利用することができると同時に、載置フレームを利用して建物壁面の一部又は全体の緑化を図ることが可能となる。このように、建物壁面を緑化することによって、夏季における壁面の表面温度を低下させて冷房負荷を低減することが可能となり、省エネルギ−や地球温暖化防止に寄与することができる。さらに、載置フレームが蔓植物で覆われることにより、子供が本貯水塔に登ったり、載置フレーム内に侵入したりするといった危険行為を未然に防止することもできる。
【発明の効果】
【００２９】
本発明の貯水塔によれば、地下貯水槽と比較して極めて容易に設置することができるとともに、貯水ユニットの連結数を変更することで所望の貯水量に柔軟に対応することができ、さらに、貯水量の増大を図った場合でも大きな敷地面積を占有せず、建物の壁面緑化が可能となる。
【発明を実施するための最良の形態】
【００３０】
［貯水塔の概要］
以下、本発明の貯水塔の一実施形態について図面を参照しつつ説明する。図１は本発明の実施形態に係る貯水塔を構成する貯水ユニットを示す斜視図である。図２は複数の貯水ユニットを連結させた本貯水塔を示す側面図である。図３は図２に示す本貯水塔の最下段部分の拡大図である。図４は図３に示す最下段部分の平面図である。図５は本貯水塔の載置フレームを利用して建物壁面を緑化した状態を示す正面図である。
【００３１】
本実施形態では、図１及び図２に示すように、２組の貯水塔ユニット１０を縦方向に連結させて貯水塔１を形成し、図５に示すように、４棟の貯水塔１を建物壁面Ｗに沿って等間隔に並設した構成としてある。また、各貯水塔１は、後述する載置フレーム１１を、図示しないアンカーボルトによって、建物壁面Ｗ及び基礎Ｂに強固に固定してある。
【００３２】
図１において、貯水塔１を形成する単一の貯水塔ユニット１０は、耐食メッキ処理した金属製の載置フレーム１１の３段の棚板１３に、合成樹脂製の貯水ドラム２１を４個ずつ（合計１２個）載置した構成となっている。載置フレーム１１の寸法は、縦横が約１ｍ×１ｍ、高さが約３ｍであり、１個の貯水ドラム２１の容量が約２００リットルとなっている。したがって、単一の貯水塔ユニット１０には２００リットル×１２＝約２．５トン、１棟の貯水塔１には約５トン、４棟の貯水塔１には約２０トンの雨水を貯水することができる。
【００３３】
［載置フレームの説明］
載置フレーム１１は、図１に示すように、略正方形状に配置した４本の支柱１２Ａ，１２Ａ，１２Ａ，１２Ａの下端部及び中間部の２箇所を、それぞれ３つの保持枠１４，１４，１４で連結し、各保持枠１４に正方形状の３枚の棚板１３，１３，１３をそれぞれ固定した構成となっている。
【００３４】
４本の支柱１２Ａの中心には、中間部の各棚板１３，１３を貫通する１本の支柱１２Ｂが配置してあり、隣り合う支柱１２Ａ，１２Ａどうしを横桟１６で互いに連結して補強している。また、４本の支柱１２Ａの上端外側及び下端外側には、本貯水塔ユニット１０を基礎Ｂに固定するため、又は他の貯水塔ユニット１０と連結するための取付枠１５，１５がそれぞれ固定してある。さらに、５本の支柱１２Ａ，１２Ｂの上端部には、４枚目の棚板１３が固定してある。この４枚目の棚板１３は、貯水ドラム２１を載置するためのものではなく、５本の支柱１２Ａ，１２Ｂの上端部を固定する役割を果たしている。
【００３５】
次いで、載置フレーム１１の各構成部材について詳述する。まず、各支柱１２Ａ，１２Ｂとしては、図４に示すように、断面略ロ字状の鋼材を用いている。なお、単一の貯水塔ユニット１０の貯水量である約５トンの重量に対する耐久性を有するならば、各支柱１２Ａ，１２Ｂとして断面略Ｌ字型又はＨ字型等の各種鋼材を用いてもよい。
【００３６】
棚板１３として、本実施形態ではステンレス鋼製のエキスパンドメタルを用いている。このエキスパンドメタルは、ステンレス鋼板に刃型を用いて千鳥状の切れ目を入れると同時にこれを押し延ばし、全体に網目を形成したものである。このような網目状のエキスパンドメタルは、優れた耐食性と透水性とを有し、４個の貯水ドラム２１の総重量約８００リットルに対する耐久性をも備えている。
【００３７】
このような棚板１３は、図３及び図４に示すように、その縁部近傍を保持枠１４にボルトで固定してあり、この保持枠１４を介して４本の支柱１２Ａに取り付けてある。また、棚板１３の中心には支柱１２Ｂが挿通してあり、フランジ状の連結金具１７を介して支柱１２Ｂにボルトで固定してある。本実施形態では、エキスパンドメタルの網目をそのまま利用して、棚板１３に小径の固定用ボルトを挿通し、また、エキスパンドメタルの一部を切除して開口部を形成し、棚板１３に大径の支柱１２Ｂや後述する連結管２４を挿通している。
【００３８】
保持枠１４は、断面略Ｌ字型の鋼材からなる略正方形状の枠体であり、その内形が棚板１３の外形に対応する寸法となっている。保持枠１４の水平面に棚板１３を載置及び固定するとともに、その四隅に位置する垂直面を４本の支柱１２Ａに固定している。
【００３９】
取付枠１５も、保持枠１４と同様に、断面略Ｌ字型の鋼材からなる略正方形状の枠体である。本実施形態では、４本の支柱１２Ａの下端外側と上端外側とに取付枠１５，１５を対称的に固定した構成としてある。下端外側の取付枠１５は基礎Ｂに固定され、上端外側の取付枠１５には、他の貯水塔ユニット１０の下端外側の取付枠１５が連結される。これにより、基礎Ｂに複数の貯水塔ユニット１０を連結させた貯水塔１が形成される。
【００４０】
横桟１６は、隣り合う支柱１２Ａ，１２Ａの中間部（本実施形態では、上下の保持枠１４，１４の間）に連結した全長約１ｍの板状体であり、載置フレーム１１の補強と、貯水ドラム２１の脱落防止の役割を果たしている。本実施形態では、図３及び図４に示すように、支柱１２Ａにおける、横桟１６の連結部を上下に互い違いに設けた構成としてある。これにより、ボルト挿通孔が支柱１２Ａの異なる高さに分散し、支柱１２Ａの局所的な強度低下を回避することが可能となる。
【００４１】
ここで、載置フレーム１１の構成部材のうち、耐食性に優れたステンレス鋼製の棚板１３を除き、支柱１２Ａ，１２Ｂ、保持枠１４、取付枠１５、横桟１６及び連結金具１７には、雨水による腐食を防止するために亜鉛メッキが施してある。載置フレーム１１の構成部材を全てステンレス鋼製とすることも可能であるが、ステンレス鋼以外の安価な鋼材に亜鉛メッキを施した構成とすることにより、載置フレーム１１のローコスト化を図ることができる。
【００４２】
［貯水ドラムの説明］
貯水ドラム２１は、耐食性に優れ、軽量で安価なポリエチレン、ポリプロピレン、又はポリエステル等のプラスチック素材からなる合成樹脂製の大型容器である。本実施形態では、図１及び図４に示すように、略正方形状の棚板１３の四隅及び中心を五本の支柱１２Ａ，１２Ｂで支持し、中心を支持する支柱１２Ｂの周りに４個の貯水ドラム２１を略均等に載置してあり、４個の貯水ドラム２１の荷重を安定的に支持している。
【００４３】
また、図３及び図４に示すように、各貯水ドラム２１は、保持バンド２２によって４本の支柱１２Ａにそれぞれ保持してあり、その転倒及び脱落を防止している。さらに、各貯水ドラム２１内には活性炭２４が入れてあり、雨水の脱臭及び水質浄化を図っている。
【００４４】
次いで、各貯水ドラム２１の配管構造について説明する。図２に示すように、互いに連結した各貯水塔ユニット１０，１０の棚板１３に載置された上下の貯水ドラム２１を、連結管２４によって縦一列に連通させるとともに、最上段の棚板１３に載置した４個の貯水ドラム２１の各連結管２４を、それぞれ雨水の導入管３１を介して既存の雨樋（雨水集水手段）４０に連結してある。これにより、屋根Ｒを伝い流れる大量の雨水が、雨樋４０に集水されて最上段の貯水ドラム２１に供給され、最上段から最下段の貯水ドラム２１へと順に貯水されるようになっている。
【００４５】
また、本実施形態では、バルブ３３を介して、全ての貯水ドラム２１を導出管３２に接続してあり、基礎Ｂの付近に設けた水道栓３４を介して雨水を取り出し、緑化灌水等に使用するようになっている。これにより、各貯水ドラム２１に貯水された雨水を、重力を利用して取り出すことができ、ポンプを省略して構成の簡単化及びローコスト化を図ることができる。
【００４６】
図示しないが、雨水の導出管３２は、例えば、貯水ドラム２１の胴部下側に直接接続してもよいし、各連結管２４から分岐させてもよい。また、導出管３２の接続態様は、特に限定されるものではないが、例えば、縦一列の貯水ドラム２１を導出管３２で接続して、合計４つの水道栓３４から雨水を取り出すようにしてもよい。
【００４７】
なお、梅雨時の大雨や台風などにより、全ての貯水ドラム２１が雨水で満杯となった場合には、貯水することができない雨水は、雨樋４０の既存の竪樋を通って排水口４１から排水されるようになっている。
【００４８】
［貯水塔を用いた壁面緑化構造］
図５において、上述した本貯水塔１を、建物壁面Ｗに沿って横方向に４棟並設し、各貯水塔１の載置フレーム１１を育成ネット５１で覆ってある（構造を分かりやすく示すため、図５では２棟の貯水塔１だけを育成ネット５１で覆ってある）。この育成ネット５１の材質としては、熱による伸縮が少なく、長年の使用により劣化しないものが好ましく、例えば、ポリエステル繊維や樹脂により形成することができる。また、軽量化の観点から、ネットの編み目を妥当な大きさとし、縦糸部材及び横糸部材を必要最低限の本数にしてもよい。
【００４９】
また、貯水塔１（載置フレーム１１）の下端側には、蔓植物５３の根を植えるためのプランター部５２が設置してある。このプランター部５２には、蔓植物５３を栽培するために好適な肥料、腐葉土、石灰などを一定の割合で混ぜ合わせた培養土が入れてあり、このプランター部５２から伸長した蔓植物５３を育成ネット５１に定着させることにより、建物壁面Ｗの全体を緑化している。
【００５０】
なお、プランター部５２を耐水シートからなる軽量な袋状とし、発砲スチロール粒などで培養土を底上げして更に軽量化を図ることで、このプランター部５２を貯水塔１（載置フレーム１１）の上端側に設けることも可能である。但し、本実施形態のように、プランター部５２を貯水塔１の下端側に設ける方が、貯水ドラム２１の雨水をポンプなしでプランター部５２に供給することができるので望ましい。
【００５１】
［本貯水塔の作用効果］
以上のように、本実施形態の貯水塔１によれば、複数段の棚板１３上に載置された複数の貯水ドラム２１によって大量の雨水を貯水することができる。これにより、学校、病院、工場、倉庫、駐車場などの施設において、大量の雨水を有効利用することが可能となり、従来の地下貯水槽に代わる水不足対策の手段としての役割を果たすこともできる。
【００５２】
また、載置フレーム１１の棚板１３の段数、棚板１３上に載置される貯水ドラム２１の数、これら載置フレーム１１と貯水ドラム２１とからなる貯水ユニット１の連結数を変更することで、数〜数十トン程度の範囲内における所望の貯水量に柔軟に対応することができる。
【００５３】
本貯水塔１は、その載置フレーム１１を基礎Ｂ及び建物壁面Ｗにアンカーボルト等で固定するだけで極めて容易に設置することができ、従来の地下貯水槽と比較した場合に、設置に要する時間、労力及び費用を大幅に削減することが可能となる。
【００５４】
本貯水塔１は、建物壁面Ｗに沿って縦方向に貯水ユニット１０を連結させる構成となっているので、貯水量の増大を図った場合でも大きな敷地面積を占有することがなく、敷地の有効利用を図ることができる。
【００５５】
棚板１３をステンレス鋼製のエキスパンドメタルとしたことにより、重量物に対する耐久性及び錆びに対する耐食性が良好であり、また、エキスパンドメタルの網目が雨水を効率よく透過させるとともに、この網目をそのまま利用して、保持枠１４等の構造体との連結、及び貯水ドラム２１の配管取り回しを容易に行うことができる。
【００５６】
また、略正方形状の棚板１３の四隅のみならず、中心も支柱１２Ｂで支持する構成としたことにより、載置フレーム１１の耐久性を向上させることができ、中心を支持する支柱１２Ｂの周りに４個の貯水ドラム２１を載置することによって、貯水塔１全体の安定性を良好にすることができる。
【００５７】
棚板１３の四隅を支持する支柱１２Ａの中間部に連結した横桟１６が、載置フレーム１１を補強するとともに、貯水ドラム２１の脱落を防止するストッパの役割をも果たす。また、支柱１２Ａにおける横桟１６の連結部を上下に互い違いに設けたことにより、支柱１２Ａの異なる高さに複数の取付孔が分散し、支柱１２Ａの局所的な強度低下を回避することが可能となる。
【００５８】
これら作用効果に加え、本貯水塔１によれば、大量の雨水を有効利用することができると同時に、載置フレーム１１を利用して建物壁面Ｗの一部又は全体を緑化することが可能でなる。これにより、夏季における建物壁面Ｗの表面温度を低下させて冷房負荷を低減することができ、省エネルギ−や地球温暖化防止に寄与することができる。さらに、載置フレーム１１が蔓植物５３で覆われることにより、子供が本貯水塔１に登ったり、載置フレーム１１内に侵入したりするといった危険行為を未然に防止することもできる。
【００５９】
なお、本発明の貯水塔は、上述した実施形態に限定されるものではない。例えば、本実施形態では、図２に示すように、貯水塔１を建物壁の外側面（すなわち建物壁面Ｗ）に固定する構成としたが、これに限定されるものではない。安全性を確保するために十分な強度が得られるのであれば、貯水塔１を建物壁の内側（すなわち屋内側）に固定し、又は建物壁の内部に埋設する構成としてもよい。
【００６０】
また、本実施形態では、各貯水ドラム２１に貯水された雨水を、重力を利用して取り出すこととし積極的にポンプを省略したが、大量の雨水を迅速に移動させるため、導出管３２の所定箇所にポンプを設置してもよい。
【図面の簡単な説明】
【００６１】
【図１】本発明の実施形態に係る貯水塔を構成する貯水ユニットの斜視図である。
【図２】複数の貯水ユニットを連結させた本貯水塔を示す側面図である。
【図３】図２に示す本貯水塔の最下段部分の拡大図である。
【図４】図３に示す最下段部分の平面図である。
【図５】本貯水塔を利用して建物壁面を緑化した状態を示す正面図である。
【符号の説明】
【００６２】
１  貯水塔
１０  貯水ユニット
１１  載置フレーム
１２Ａ，１２Ｂ  支柱
１３  棚板（エキスパンドメタル）
１４  保持枠
１５  取付枠
１６  横桟
１７  連結金具
２１  貯水ドラム
２２  保持バンド
２３  活性炭
２４  連結管
３１  導入管
３２  導出管
３３  バルブ
３４  水道栓
４０  雨樋（雨水集水手段）
４１  排水口
５１  育成ネット
５２  プランター部
５３  蔓植物
Ｗ  建物壁面
Ｒ  屋根
Ｂ  基礎
【図１】
2008303562.tif 000003
【図２】
2008303562.tif 000004
【図３】
2008303562.tif 000005
【図４】
2008303562.tif 000006
【図５】
2008303562.tif 000007